(57)【要約】【課題】十分な大きさのレッグ開口を有するとともに、レッグ開口縁部が内側に倒れ込むことなく、着用者の臀部を被覆することのできるパンツ型の使い捨て着用物品の提供。【解決手段】クロッチパネル１３は、少なくともクロッチ域１６の肌対向面に配置された吸液構造体１１と、吸液構造体１１の両側縁から横方向Ｘの外側に延びる一対の弾性サイドフラップ５３とを有する。弾性サイドフラップ５３は、吸液構造体１１の両側縁の横方向Ｘの外側に位置する非弾性部５７Ａと、非弾性部５７Ａの横方向Ｘの外側に位置する弾性部５７Ｂとを有し、クロッチパネル１３の横方向Ｘの寸法Ｗ２が、前後ウエスト域１４，１５の横方向Ｘの寸法Ｗ１の約５５〜７０％の大きさである。【選択図】図１
2014171691.tif 000002
【特許請求の範囲】
【請求項１】
縦方向及びそれに直交する横方向を有し、肌対向面及び非肌対向面と、前ウエスト域と、後ウエスト域と、前記前後ウエスト域間に位置するクロッチ域と、前記前ウエスト域を画定する前ウエストパネルと、前記後ウエスト域を画定する後ウエストパネルと、前記クロッチ域を画定するクロッチパネルと、前記クロッチパネルの前記肌対向面側に配置された、前記クロッチ域を中心として前記前後ウエスト域に延びる吸液構造体とを含むパンツ型の使い捨て着用物品において、
前記弾性ウエストパネルは、前記吸液構造体の前後端部の前記横方向の外側に位置する弾性域と、前記吸液構造体の存在域に位置する非弾性域とを有し、
前記クロッチパネルは、前記吸液構造体の両側縁の前記横方向の外側に位置して前記縦方向へ延びる弾性サイドフラップを有し、
前記弾性サイドフラップは、前記前後ウエスト域において前記横方向の外向きに固定された前後端部と、前記吸液構造体の両側縁の前記横方向の外側に位置する非弾性部と、前記非弾性部の前記横方向の外側に位置する弾性部とを有し、
前記前後ウエスト域の前記横方向の寸法に対する前記クロッチパネルの前記横方向の寸法の比が約５５〜７０％であることを特徴とする前記着用物品。
【請求項２】
前記前後ウエストパネルは、それぞれ、前記前後ウエスト域の内端縁から前記クロッチ域側へ約０〜１０ｍｍ延出する請求項１に記載の着用物品。
【請求項３】
前記弾性サイドフラップの前記横方向の寸法に対する前記非弾性部の前記横方向の寸法の比が約２２〜５６％である請求項１又は２に記載の着用物品。
【請求項４】
前記非弾性部の前記横方向の寸法は約１０〜２５ｍｍ、前記弾性部の前記横方向の寸法は約２５〜３５ｍｍである請求項１〜３のいずれかに記載の着用物品。
【請求項５】
前記クロッチパネルは、ベースシートと、前記縦方向に延び、かつ、弾性的に伸縮可能なレッグ弾性体を有する一対のレッグ弾性化シートとを有し、前記レッグ弾性化シートのうちの前記クロッチパネルとの接合部位から外側縁まで延びる部分によって前記弾性サイドフラップが形成されており、前記非弾性部は、前記接合部位から最内側に位置するレッグ弾性体までの領域によって形成され、前記弾性部は、レッグ弾性体が配置された領域によって形成されており、前記接合部位には前記横方向へ互いに並行して延びる多数のギャザーが形成された状態で前記クロッチパネルに接合される請求項１〜４のいずれかに記載の着用物品。
【請求項６】
前記クロッチ域においてバリアシートが配置されており、前記吸液構造体の両側縁から前記横方向の外側へ延出する前記バリアシートの両側部から形成された、記吸液構造体の肌対向面に固定された前後固定部と、前記前後固定部間において前記縦方向へ延びる遠位縁部と、前記遠位縁部に取り付けられたカフ弾性体とを有し、前記カフ弾性体が収縮することによって起立するバリアカフが形成される請求項１〜５のいずれかに記載の着用物品。
【発明の詳細な説明】
【技術分野】
【０００１】
この発明は、使い捨て着用物品に関し、より詳しくは、弾性のレッグ開口縁部を有するパンツ型の使い捨ておむつ、使い捨てのトイレット・トレーニングパンツ、使い捨て失禁パンツ等のパンツ型の使い捨て着用物品に関する。
【背景技術】
【０００２】
従来、弾性のレッグ開口縁部を有するパンツ型の使い捨て着用物品は公知である。例えば、特許文献１には、弾性ウエストパネルと、弾性ウエストパネルの肌対向面に連結されるクロッチパネルと、クロッチ域を中心として前後ウエスト域へ延びる吸液構造体と、後ウエスト域において前後ウエスト域の両側縁どうしを連結するシームからクロッチ域側へ延びる臀部カバー部とを有し、クロッチ域の両側部には、複数条の弾性体によって伸縮性が付与された弾性カフが配置されたパンツ型の使い捨て着用物品が開示されている。
【先行技術文献】
【特許文献】
【０００３】
【特許文献１】特表２００８−５０８０８２号公報
【発明の概要】
【発明が解決しようとする課題】
【０００４】
特許文献１に開示されたパンツ型の使い捨て着用物品によれば、後ウエスト域においてシームからクロッチ域側へ延びる臀部カバー部を有することから、着用者の臀部を被覆することができるとともに、着用時において弾性カフが起立して着用者の大腿部にフィットするので、排泄物の横漏れを防止することができる。
【０００５】
しかし、弾性カフにおいて弾性体が位置する領域のみが着用者の大腿部にフィットし、着用中に弾性カフが内側へ倒れ込んで大腿部間や臀裂に挟まれて、臀部の一部が露出するおそれがある。一方、かかる不利益を防ぐために、クロッチパネルの幅寸法を比較的に大きくして、弾性カフが内側へ倒れ込んでも大腿部間に挟まれることがないようにすることもできるが、その場合には、レッグ開口の大きさが比較的に小さくなり、着用時にレッグ開口に脚を挿入するときにクロッチパネルの一部に足先が引っ掛かったりするおそれがある。
【０００６】
特に、前ウエスト域を画定する前ウエストパネルと、後ウエスト域を画定する後ウエストパネル及び前後ウエストパネルに前後端部が固定された吸液構造体とから構成された、いわゆる３ピース構造のパンツ型の使い捨て着用物品の場合には、レッグ開口縁部が前後ウエスト域と直交して縦方向へ延びる吸液構造体の両側部で形成されるので、レッグ開口縁部が着用者の臀部に挟まれ易く、前記の課題がより顕著となる。
【０００７】
本発明の目的は、従来の使い捨て着用物品の改良にあり、十分な大きさのレッグ開口を有するとともに、レッグ開口縁部が内側に倒れ込むことなく、着用者の臀部を被覆することのできるパンツ型の使い捨て着用物品の提供にある。
【課題を解決するための手段】
【０００８】
前記課題を解決するために、この発明は、縦方向及びそれに直交する横方向を有し、肌対向面及び非肌対向面と、前ウエスト域と、後ウエスト域と、前記前後ウエスト域間に位置するクロッチ域と、前記前ウエスト域を画定する前ウエストパネルと、前記後ウエスト域を画定する後ウエストパネルと、前記クロッチ域を画定するクロッチパネルと、前記クロッチパネルの前記肌対向面側に配置された、前記クロッチ域を中心として前記前後ウエスト域に延びる吸液構造体とを含むパンツ型の使い捨て着用物品に関する。
【０００９】
この発明に係るパンツ型の使い捨て着用物品は、前記弾性ウエストパネルは、前記吸液構造体の前後端部の前記横方向の外側に位置する弾性域と、前記吸液構造体の存在域に位置する非弾性域とを有し、前記クロッチパネルは、前記吸液構造体の両側縁の前記横方向の外側に位置して前記縦方向へ延びる弾性サイドフラップを有し、前記弾性サイドフラップは、前記前後ウエスト域において前記横方向の外向きに固定された前後端部と、前記吸液構造体の両側縁の前記横方向の外側に位置する非弾性部と、前記非弾性部の前記横方向の外側に位置する弾性部とを有し、前記前後ウエスト域の前記横方向の寸法に対する前記クロッチパネルの前記横方向の寸法の比が約５５〜７０％であることを特徴とする。
【発明の効果】
【００１０】
本発明に係るパンツ型の使い捨て着用物品は、前後ウエスト域の前記横方向の寸法に対する前記クロッチパネルの前記横方向の寸法の比が約５５〜７０％であることから、クロッチ域の後ウエスト域側において着用者の臀部を被覆することができる。また、弾性サイドフラップにおいて、非弾性部が着用者の身体にむかって起立して排泄物の漏れを防ぐ一方、弾性部は横方向の外側へ突出するので、大腿部に面状に接して着用中に弾性部が臀裂に挟み込まれたり、レッグ開口が小さくなって着用時に足先が引っ掛かったりするおそれはない。
【図面の簡単な説明】
【００１１】
【図１】本発明に係るパンツ型の使い捨て着用物品の一例として示す、第１実施形態における使い捨ておむつの斜視図。
【図２】各弾性体の最大伸長時まで縦方向及び横方向に伸展したおむつの一部破断展開平面図。
【図３】おむつの一部破断分解斜視図。
【図４】おむつの着用状態におけるクロッチ域の一部断面図。
【図５】着用状態のおむつを背面から視た斜視図。
【図６】第２実施形態におけるおむつの一部破断展開平面図。
【図７】第２実施形態におけるおむつの着用状態を示す、おむつを側面から視た斜視図。
【図８】第３実施形態におけるおむつの展開平面図。
【図９】第３実施形態における図４と同様の一部断面図。
【図１０】第２実施形態における、（ａ）クロッチパネルの製造装置の概略図、（ｂ）クロッチパネルの製造工程における連続複合体の態様を示す図。
【発明を実施するための形態】
【００１２】
＜第１実施形態＞
図１〜３を参照すると、本発明に係るパンツ型の使い捨て着用物品の一例として示す使い捨ておむつ１０は、縦軸Ｐ及び横軸Ｑと、縦方向Ｙ及び横方向Ｘと、肌対向面及びその反対側に位置する非肌対向面と、ウエスト回り方向へ延びる環状の弾性ウエストパネル１２と、弾性ウエストパネル１２の肌対向面に連結される吸液構造体１１と、弾性ウエストパネル１２の肌対向面側に取り付けられた弾性クロッチパネル１３とを含む。また、おむつ１０は、前ウエスト域１４と、後ウエスト域１５と、前後ウエスト域１４，１５間に位置するクロッチ域１６とを有し、縦軸Ｐに関して対称である。
【００１３】
＜弾性ウエストパネル＞
弾性ウエストパネル１２は、吸液構造体１１を着用者の股下間に固定するための弾性ベルト機能を有し、前ウエスト域１４を形成する前ウエストパネル１８と、後ウエスト域１５を形成する後ウエストパネル１９とを有する。前弾性ウエストパネル１８は、内端縁１８ａと、外端縁１８ｂと、内外端縁１８ａ，１８ｂ間の両側縁１８ｃ，１８ｄとによって画定された横長方形状を有する。後弾性ウエストパネル１９は、内端縁１９ａと、外端縁１９ｂと、内外端縁１９ａ，１９ｂ間の両側縁１９ｃ，１９ｄとによって画定された横長方形状を有する。互いに対応する前ウエストパネル１８の両側縁１８ｃ，１８ｄと後ウエストパネル１９の両側縁１９ｃ，１９ｄどうしは、互いに重ね合わされて、縦方向Ｙへ断続的に並ぶシーム２０において公知の手段、例えば、熱エンボス加工、ソニックなどによる熱溶着手段によって連結され、ウエスト開口２２と一対のレッグ開口２３とが画定される。このように、本発明において、前後ウエスト域１４，１５は、シーム２２によってその両側縁部が連結されるものであって、内端縁１８ａ，１９ａはシーム２２の位置する該連結部の下端を意味し、該連結部からクロッチ域１６側に位置するものではない。
【００１４】
前後ウエストパネル１８，１９は、それぞれ、肌対向面側に位置するウエスト内層２４，２５と、非肌対向面側に位置するウエスト外層２６，２７とを有する。ウエスト外層２６，２７はウエスト内層２４，２５よりも縦方向Ｙの幅寸法が大きく、ウエスト内層２４の内外端縁からさらに縦方向Ｙの外側に延出している。
【００１５】
＜ウエスト外層＞
ウエスト外層２６，２７には、質量約１５〜３０ｇ／ｍ２のＳＭＳ（スパンボンド・メルトブローン・スパンボンド）繊維不織布、スパンボンド不織布、エアスルー不織布、プラスチックシート、または、前記いずれかの繊維不織布とプラスチックシートとのラミネートシートなどを用いることができる。ウエスト内層２４，２５とウエスト外層２６，２７とは、少なくとも一方の内面に塗布されたホットメルト接着剤または公知の熱溶着手段によって接合される。
【００１６】
＜ウエスト内層＞
ウエスト内層２４，２５には、弾性繊維不織布を用いることができ、例えば、スパンボンド繊維不織布、メルトブローン繊維不織布、ヒートロール繊維不織布、ＳＭＳ繊維不織布、エアレイド繊維不織布及びエアスルー繊維不織布など公知の弾性を有する繊維不織布を単独又はそれらを組み合わせたものから形成することができる。弾性不織布は、例えば、ポリエチレン系、ポリウレタン系等からなるエラストマー樹脂、ポリエチレン、ポリプロピレン、ポリエステル、アクリル等からなる熱可塑性樹脂などから形成することができる。ウエスト内層２４，２５としては、非弾性繊維不織布を用いることもできるが、後記のとおり、後ウエスト域１５のウエスト内層２５は直接着用者の身体に触れるものであるから、柔軟性及び肌触りを向上させるため、少なくともウエスト内層２５は弾性繊維不織布であることが好ましい。
【００１７】
＜グラフィック表示フィルム＞
図２及び３を参照すると、ウエスト内層２４，２５とウエスト外層２６，２７との間には、前後ウエスト域１４，１５の横方向Ｘの中央部において、非肌対向面に外部から視認可能なグラフィック（図示せず）などが印刷されている、プラスチック材料から形成されたグラフィック表示フィルム２８，２９が配置されている。
【００１８】
＜各ウエスト弾性体＞
前後弾性ウエストパネル１８，１９において、ウエスト内層２４，２５の外端縁からさらに縦方向Ｙの外方へ延出するウエスト外層２６，２７の延出部位は、内方へ向かって折り返されており、折り返しによって形成された折曲部２６ａ，２７ａ内には、複数条のストランド状又はストリング状の第１及び第２ウエスト外端弾性体３１，３２がホットメルト接着剤を介して伸長下に収縮可能に固定されている。また、ウエスト内層２４，２５の内端縁からさらに縦方向Ｙの内側へ延出するウエスト外層２６，２７の延出部位２６ｂ，２７ｂには、繊維不織布から形成された細長状の固定シート３０が配置されており、固定シート３０と該延出部位２６ｂ，２７ｂとの間において、ストランド状又はストリング状の第１及び第２ウエスト内端弾性体３３，３４がホットメルト接着剤を介して伸長下に収縮可能に固定されている。各ウエスト弾性体３１，３２，３３，３４には、例えば、繊度３１０〜７８０ｄｔｅｘ、伸長倍率２．０〜３．５倍のストリング状又はストランド状の弾性材料を用いることができる。
【００１９】
＜前後ウエスト域＞
前ウエスト域１４は、第１ウエスト外端弾性体３１が配置された外端部３５と、第１ウエスト内端弾性体３３が配置された内端部３６と外内端部３５，３６間に位置する中間部３７とを有する。後ウエスト域１５は、第２ウエスト外端弾性体３２が配置された外端部３８と、第２ウエスト内端弾性体３４が配置された内端部３９と、外内端部３８，３９間に位置する中間部４０とを有する。各弾性体が配置されていない領域である中間部３７，４０には、弾性を有するウエスト内層２４，２５が配置される。したがって、着用時において、前後ウエスト域１４，１５の外端部３５，３８と内端部３６，３９とは、各弾性体の収縮力によって安定的に着用者の身体にフィットするとともに、中間部３７，４０はウエスト内層２４，２５の収縮力によって着用者の身体にフィットするので、おむつ１０が着用中に体液の漏れを生じる程の大きな位置ずれを生じるおそれはない。
【００２０】
前後ウエスト域１４，１５の内端部３６，３９の第１及び第２ウエスト内端弾性体３３，３４は、それぞれ、横方向Ｘにおいて離間対向して配置されており、それらが配置された一対の弾性域間には、各ウエスト弾性体３３，３４が配置されてない非弾性域６１，６２が画定される。非弾性域６１（非弾性域６２も同じ）の形成する方法としては、例えば、内端部３６に横方向Ｘに一連に延びる第１ウエスト内端弾性体３３を配設し、内端部３６の中央部位を除いてホットメルト接着剤で固定し、該中央部位に位置する第１ウエスト内端弾性体３３を切断すると、第１ウエスト内端弾性体３３は自動的に収縮（スナップバック）して、該中央部位には収縮力を有する第１ウエスト内端弾性体３３が実質的に存在せず、非弾性域６１が形成される。
【００２１】
前ウエスト域１４の内端部３６においては、第１ウエスト内端弾性体３３は吸液構造体１１の両側部と交差しており、第１ウエスト内端弾性体３３の収縮力によって吸液構造体１１が着用者の身体にフィットするので、着用者の大腿部の動きによっても体液の漏れを誘発するような隙間が身体と吸液構造体１１との間に形成されるおそれはない。一方、後ウエスト域１５の内端部３９においては、第２ウエスト内端弾性体３４が吸液構造体１１と交差しておらず、その収縮力が吸液構造体１１に作用して体液の漏れの原因となるようなギャザーを生じさせるおそれはない。
【００２２】
＜クロッチパネル＞
クロッチパネル１３は、横方向Ｘの中央部に位置するベースシート４２と、ベースシート４２の両側部の肌対向面に固定された一対のレッグ弾性化シート４３とを有する。ベースシート４２は、肌対向面側に位置するクロッチ内層４４と、非肌対向面側に位置するクロッチ外層４５とから構成される。クロッチ内外層４４，４５には、各種公知の繊維不織布またはプラスチックフィルムを用いることができるが、クロッチ内層４４は吸液構造体１１と対向して位置するので、防漏性のプラスチックフィルムから形成することが好ましく、クロッチ外層４５は、おむつ１０の外面の一部を構成するので、プラスチックフィルムに比して肌触りの良い繊維不織布から形成することが好ましい。
【００２３】
クロッチパネル１３は、前後端部４６，４７と、前後端部４６，４７間に位置する中間部４８とを有する。前後端部４６，４７は、その非肌対向面側に位置する、ホットメルト接着剤を塗布してなる接合域を介して前後弾性ウエストパネル１８，１９の内端縁１８ａ，１９ａ側の肌対向面に固定される。
【００２４】
＜レッグ弾性化シート＞
各レッグ弾性化シート４３は、複数条のストランド状又はストリング状のレッグ弾性体５０と、レッグ弾性体５０を被覆するカバーシート５１とを有する。カバーシート５１は、１枚の繊維不織布又はプラスチックシートを２つに折り曲げられて接合部４１においてベースシート４２に固定される。レッグ弾性体５０は、ホットメルト接着剤を介してカバーシートの内部に伸長下に収縮可能に固定される。レッグ弾性体５０は、繊度３１０〜６２０ｄｔｅｘ、伸長倍率２．０〜３．０倍のストリング状又はストランド状の弾性材料や所定の幅及び厚さを有するウレタン等からなるシート状弾性材料から形成することもできる。レッグ弾性体５０は、吸液構造体１１との接合部位４９に最も近い位置にある内側レッグ弾性体５０ａと、内側レッグ弾性体５０ａの横方向Ｘの外側に位置する外側レッグ弾性体５０ｂとを有する。
【００２５】
レッグ弾性化シート４３は、吸液構造体１１との接合部位４９から横方向Ｘの外側へ延出する弾性サイドフラップ５３を有する。弾性サイドフラップ５３は、前後ウエスト域１４，１５において横方向Ｘの外向きに固定された前後端部（クロッチパネル１３の前後端部４６，４７）と、接合部位から最内側に位置するレッグ弾性体５０の間に位置する非弾性部５７Ａと、レッグ弾性体５０が配置された弾性部（レッグ開口縁部）５７Ｂとを有する。
【００２６】
＜吸液構造体＞
吸液構造体１１は、縦長のパッド形状を有し、前後端部５４，５５と、中間部５６と、少なくともクロッチ域１６において縦方向Ｙへ延びる吸収性コア５８と、吸収性コアの肌対向面側に位置する身体側ライナー５９と吸収性コア５８の非肌対向面側に位置する外カバー６０とを含む。吸液構造体１１には、その非肌対向面のほぼ全体にホットメルト接着剤が公知のパターンで塗布されている。前後端部５４，５５は、それぞれ、該ホットメルト接着剤を介して前後弾性ウエストパネル１８，１９の肌対向面に固定されており、中間部５６は該ホットメルト接着剤を介してクロッチパネル１３の肌対向面に固定される。
【００２７】
図３を参照すると、吸液構造体１１の前端部５４は、前弾性ウエストパネル１８のウエスト内層２４の肌対向面に固定されており、後端部５５は、後弾性ウエストパネル１９のウエスト内層２５とウエスト外層２７との間においてウエスト外層２７の肌対向面に固定される。吸液構造体１１の前端部５４がウエスト内層２５の肌対向面に固定されることによって、着用者の肌には、伸縮弾性を有する比較的に柔軟なウエスト内層２４が直接触れるので、肌触りが向上する。また、後端部５５がウエスト内層２５とウエスト外層２７との間に固定されることから、排泄された体液が拡散してクロッチ域１６から後ウエスト域１５に位置する吸液構造体１１の後端部５５まで拡散しても、体液が直接着用者の肌に触れるのを防止することができる。吸液構造体１１の前後端部５４，５５は、レッグ弾性化シート４３の前後端部よりも縦方向Ｙの外側に位置しており、レッグ弾性化シート４３の縦方向Ｙにおける寸法は、吸液構造体１１の縦方向Ｙにおける寸法よりも小さくなっている。
【００２８】
吸収性コア５８は、質量４００〜６００ｇ／ｍ２であって、フラッフパルプと、超吸収性ポリマー粒子（ＳＡＰ）と、オプションとして含まれる熱溶着性ステープル繊維との混合から形成された芯材と、芯材を被包する液透過性の繊維不織布とから構成される。身体側ライナー５９には、質量約１０〜３０ｇ／ｍ２の透液性のスパンボンド不織布やＳＭＳ不織布等の各種公知の繊維不織布を用いることができる。外カバー６０には、質量約１０〜３０ｇ／ｍ２の不透液性のスパンボンド不織布、ＳＭＳ不織布、プラスチックシートまたは繊維不織布とプラスチックシートとのラミネートシート等を用いることができる。
【００２９】
図１及び図４を参照すると、弾性サイドフラップ５３の弾性部５７Ｂは、着用者の身体側へ起立せず、横方向Ｘの外側へ向かって延出（突出）している。通常、吸液構造体の近傍からレッグ開口縁部の外側へ複数条のレッグ弾性体が配設されている場合には、吸液構造体の近傍に位置するレッグ弾性体が吸液構造体の比較的に高い剛性の影響を受けて収縮し難くなる一方、外側に位置するレッグ弾性体が所要の収縮力を発揮することによって、外側の領域の縦方向の寸法が小さくなり、レッグ開口縁部が着用者の身体に向かって立ち上がり、バリアカフを形成する。本実施形態においては、吸液構造体１１の外側縁からレッグ弾性体５０の配置された弾性部５７Ｂが所与寸法離間しており、最内側に位置する内側レッグ弾性体５０ａが吸液構造体の高剛性による影響を受けることなく、レッグ弾性体５０全体が等しく伸縮する。したがって、非弾性部５７Ａにおいては、接合部位４９の縦方向の寸法よりも内側レッグ弾性体５０ａの配置された部位の縦方向Ｙの寸法（収縮寸法）がその収縮作用によって小さくなることから、非弾性部５７Ａは着用者の身体に向かって立ち上がる。一方、弾性部５７Ｂにおいては、内側レッグ弾性体５０ａが吸液構造体１１の高剛性の影響等を受けることなく外側レッグ弾性体５０ｂと等しく収縮することから全体として平面状を維持し、非弾性部５７Ａとともに起立せず、おむつ１０の着用状態において、弾性部５７Ｂが平面的に着用者の身体に当接する。
【００３０】
このように、おむつ１０の着用状態において、弾性サイドフラップ５３において非弾性部５７Ａが起立する一方、弾性部５７Ｂが平面的に着用者の身体にフィットするためには、非弾性部５７Ａの横方向Ｘにおける寸法Ｗ４が約１０〜２５ｍｍ、弾性部５７Ｂの横方向Ｘにおける寸法Ｗ５が約２０〜３５ｍｍであることが好ましい。非弾性部５７Ａの横方向Ｘにおける寸法Ｗ４が約１０ｍｍ以下の場合には、内側レッグ弾性体５０ａが吸液構造体の高剛性の影響を受けるおそれがあり、一方、寸法Ｗ４が約２５ｍｍ以上の場合には、起立する非弾性部５７Ａが着用中によれたり倒伏したりするおそれがある。また、弾性部５７Ｂの横方向Ｘにおける寸法Ｗ５が約２０ｍｍ以下の場合には、弾性部５７Ｂが横方向Ｘの外側へ平面的に延出せずに非弾性部５７Ａとともに起立するおそれがあり、一方、寸法Ｗ５が約３５ｍｍ以上の場合には、相対的に非弾性部５７Ａの寸法Ｗ４が小さくなり、内側レッグ弾性体５０ａが吸液構造体１１の高剛性による影響を受け、弾性部５７Ｂが平面状を維持することができなくなるおそれがある。さらに、弾性サイドフラップ５３の横方向の寸法Ｗ３に対する非弾性部５７Ａの横方向の寸法Ｗ４の比（Ｗ３／Ｗ４）が約２２〜５６％であることが好ましい。前記のとおり、本願発明における効果を奏するためには、内側レッグ弾性体５０ａが接合部位４９から所与寸法離間していることが必要であるところ、弾性サイドフラップ５３の横方向の寸法Ｗ３に対する非弾性部５４Ａの前記横方向の寸法Ｗ４の比が約２２％以下の場合には、内側レッグ弾性体５０ａの収縮作用が吸液構造体１１の高剛性の影響を受けて阻害されるおそれがあり、一方、該寸法比が５６％以上の場合には、非弾性部５７Ａによる起立部分が比較的に大きくなり、レッグ開口２３が比較的に小さくなるおそれがあり、また、吸液構造体が身体から下方へ離間することによって着用者の大腿部の動きを阻害するおそれがある。なお、上記各種寸法Ｌ１，Ｌ２，Ｗ１，Ｗ２，Ｗ３は、おむつ１０の展開状態において弾性部材の収縮作用によるギャザーが形成されない程度にまで縦方向Ｙ及び横方向Ｘに伸長された状態で測定されたものである。
【００３１】
弾性部５７Ｂをより確実に平面状に横方向Ｘへ延出させた状態で着用者の身体にフィットさせるために、外側レッグ弾性体５０ｂの収縮力を内側レッグ弾性体５０ａのそれよりも低く設定したり、最内側から外側へ向かうにつれて次第にレッグ弾性体５０の収縮力が低くなるように設定することができる。かかる場合には、外側レッグ弾性体５０ｂの配置された部分の収縮された寸法が内側レッグ弾性体５０ａの配置された部分のそれよりも大きくなるので、レッグ弾性化シート４３の外側縁近傍は垂れ下がったような状態となり、弾性部５７Ｂはより安定的に平面形状を維持しうる。
【００３２】
図２を参照すると、おむつ１０の縦方向Ｙにおける寸法Ｌ１は約４２０〜５４０ｍｍ，おむつ１０の横方向Ｘにおける寸法Ｗ１（シーム２２間の横方向Ｘの離間寸法）は約３００〜４２５ｍｍ、クロッチ域１６の縦方向Ｙにおける寸法Ｌ２は約２０５〜２７０ｍｍ、前ウエスト域１４の側縁１８ｄの縦方向Ｙにおける寸法（後ウエスト域１５の側縁１９ｄの縦方向Ｙにおける寸法も同等）Ｌ３は、約９５〜１４５ｍｍ、クロッチパネル１３の横方向Ｘにおける寸法Ｗ２は、約１８５〜２４０ｍｍである。通常、この種のパンツ型の使い捨ておむつにおいては、おむつの横方向の寸法に対するクロッチ域の横方向の寸法比は、約５０％以下であるところ、本願発明における該寸法比、すなわち、寸法Ｗ１に対する寸法Ｗ２の比率（Ｗ１／Ｗ２）は、約５５〜７０％である。
【００３３】
通常、パンツ型の使い捨ておむつにおいて、特に、３ピース構造のオムツの場合には、該寸法比（Ｗ１／Ｗ２）が約５５％以上の場合には、レッグ開口が比較的に小さくなり、着用時にレッグ開口に脚を挿入し難くなり、無理に脚を挿入しようとするレッグ開口縁部の一部が破断したりするおそれがある。本実施形態の場合には、着用状態において、弾性サイドフラップ５３全体が着用者の身体に向かって起立せず、弾性部５７Ｂが着用者の身体に平面的にフィットするので、着用者の大腿部を締め付け過ぎることはなく、かつ、排泄物の漏れを防止することができる。
【００３４】
【表１】
2014171691.tif 000003
【００３５】
＜寸法比（Ｗ２／Ｗ１）に関する評価方法＞
表１は、本実施形態と同様の構成を有する、様々なサイズの３ピース構造の使い捨ておむつを用いた実施例１〜８及び比較例１〜７における、弾性ウエストパネル１２の幅寸法Ｗ１とクロッチパネル１３の幅寸法Ｗ２との寸法比等を示した表である。なお、測定は、おむつ１０を弾性部材による皺が形成されない程度に縦方向Ｙ及び横方向Ｘへ伸展した状態で行う。寸法比（Ｗ２／Ｗ１）の評価方法としては、まず、各実施例及び各比較例のおむつを母親を着用補助者として幼児（２０名）に着用させ、母親に対し、「着用させた最初の状態における着用者の臀部がおむつによって被覆された状態」「着用後３０分経過後における着用者の臀部がおむつによって被覆された状態」及び「着用時のおむつの履かせ易さ」のそれぞれの項目について、「良い」、「どちらともいえない」、「あまり良くない」の３段階の評価の回答を求めた。回答の結果、各項目において、７０％（１４人）以上の母親が「良い」と回答した場合には「○」、５０％より多い母親（１１〜１３人）が「良い」と回答した場合には「△」、５「良い」の回答が５０％以下（１０人以下）の場合には「×」とした。なお、「着用時におけるおむつの履かせ易さ」とは、レッグ開口に着用者の脚部を挿入するときに、レッグ開口縁部に足先が引っ掛かったりすることなくスムーズに操作することができたか否かを基準としたものである。
【００３６】
表１に示すとおり、実施例１〜８における各サイズのおむつにおいて、寸法比（Ｗ２／Ｗ１）は約５５〜７０％であって、前記の３つの項目ともに評価は「○」又は「△」であった。一方、比較例１〜７における各サイズのおむつにおいて、寸法比（Ｗ２／Ｗ１）は約４３〜５３％及び７２％であって、前記の３つの項目のうち、各比較例ともに少なくとも１つの評価が「×」であった。特に、比較例３においては、該寸法比が５３％であって、おむつを着用して３０分経過後の臀部の被覆状態の評価が「×」であるのに対し、一方、比較例７においては、該寸法比が７２％であって、着用時におけるおむつの履かせ易さの評価が「×」であった。すなわち、該寸法比が約５５％以下の場合には、着用時においては着用者の臀部が被覆されているところ、着用してしばらく経過したときに、着用者の下半身の動き等によって臀部が露出するおそれがある。また、該寸法が約７０％以上の場合には、クロッチ域が比較的に広い範囲において臀部を被覆するので、着用時及び着用後において臀部が露出するおそれはないが、レッグ開口が比較的に小さくなり、おむつを履かせるときにレッグ開口に脚を挿入し難くなる。
【００３７】
図５を参照すると、クロッチ域１６が十分な幅寸法を有することから、後ウエスト域１５側において着用者の臀部全体を被覆することができる。また、弾性サイドフラップ５３の弾性部５７Ｂが平面的に着用者の大腿部と当接し、身体の内側へ向かって起立することはないので、弾性部（レッグ開口縁部）５７Ｂが臀裂に挟み込まれて臀部が外部に露出するおそれはない。また、クロッチ域１６の前ウエスト域１４側においても、弾性部５７Ｂが平面状に着用者の大腿部に当接しているので、大腿部の動きによってレッグ開口縁部が捲れたりするおそれはない。
【００３８】
おむつ１０の着用状態において、弾性ウエストパネル１２の吸液構造体１１の前後端部５４，５５の存在域には、各ウエスト弾性体３１，３２，３３，３４が配設されていない中間部３７，４０と、第１及び第２ウエスト内端弾性体３３，３４が配設されていない非弾性域６１，６２が位置しているので、各ウエスト弾性体３１，３２，３３，３４による収縮作用がシート部材に比較して剛性の高い半剛性の吸収性コア５８に作用して吸収性コア５８の幅寸法が縮められることはなく、吸液構造体１１をウエスト回り方向へ拡げた状態で着用者の身体にフィットさせることができる。
【００３９】
各図に示すとおり、前後ウエストパネル１８，１９の内端縁は前後ウエスト域１４，１５の内端縁と一致しており、前後ウエストパネル１８，１９の内端部はクロッチ域１６に延出しておらず、延出する場合であっても、該延出部の縦方向Ｙの寸法が１０ｍｍ以下であることが好ましい。本実施形態の場合には、レッグ開口縁部の大部分がレッグ弾性化シート４３で形成されており、身体に安定的にフィットされるので、３ピース構造のおむつであってもレッグ開口縁部が臀裂に挟まれて臀部が露出するおそれはなく、前後ウエストパネル１８，１９の一部をクロッチ域１６に延出させる必要はない。このように、前後ウエストパネル１８，１９の内端部がクロッチ域１６に延出してない（延出しても１０ｍｍ以下）ので、それが比較的に大きく延出する場合に比して、大腿部の動きが阻害され難いといえる。
【００４０】
＜第２実施形態＞
本実施形態に係るおむつ１０の基本的構成は第１実施形態と同様であるところ、以下の点において相違する。
【００４１】
図６を参照すると、本実施形態において、クロッチパネル１３を構成する各レッグ弾性化シート４３は、収縮した状態でベースシート４２及び前後ウエスト域１４，１５の内端部３６，３９の肌対向面に固定されており、レッグ弾性化シート４３には多数のギャザー６８が形成される。ギャザー６８は、レッグ弾性体５０が配置された領域のみならず、レッグ弾性化シート４３がベース層４２に固定される接合部４１においても縦方向へ並んで横方向へ延びている。レッグ弾性体５０は、その全周に縦方向Ｙに連続的又は間欠的に塗布されたホットメルト接着剤等を介してカバーシート５１と接合されている。また、レッグ弾性化シート４３の非弾性部５７Ａには、接合部位４９近傍におけるレッグ弾性化シート４３の破断を防止するために、折曲したカバーシート５１間に細帯状の補強シート５２がホットメルト接着剤を介して固定される。
【００４２】
クロッチ域１６の縦方向Ｙにおける寸法、すなわち、前ウエスト域１４の内端縁１８ａと後ウエスト域１５の内端縁１９ａとの縦方向Ｙにおける離間寸法Ｌ２は２０５〜２７０ｍｍであるのに対し、レッグ弾性化シート４３の最大伸長時の有効伸長寸法Ｌ４は、約２２５〜３８０ｍｍである。ここで、有効伸長寸法Ｌ７とは、前後ウエスト域１４，１５に固定された実質的に伸長しない前後端部４６，４７を除く前ウエスト域１４の内端縁１８ａと後ウエスト域１５の内端縁１９ａ間に位置するレッグ弾性化シート４３の縦方向Ｙに弾性的に伸縮可能な部分の縦寸法をいう。したがって、レッグ弾性化シート４３は、クロッチ域の縦方向Ｙにおける寸法Ｌ２の少なくとも１．０５倍以上、好ましくは１．０５〜１．５倍、さらに好ましくは、１．１〜１．４倍だけ弾性的に伸長可能なものである。このように、レック弾性化シート４３が収縮状態で取り付けられている（オーバーフィード）ことによって、レッグ開口縁部の長さ寸法をオーバーフィードの程度を変えることによって自由に設定することができ、着用者の身体の大きさに合わせた適応範囲を広げることができる。
【００４３】
また、製品となったおむつ１０に含まれるレッグ弾性化シート４３の収縮前後の寸法比は、クロッチ域１６においてベースシート４２の側縁に接合されたレッグ弾性化シート４３を、ベースシート４２とともに切り出したサンプルを用いて求めることができる。具体的には、おむつ１０のクロッチ域１６に位置する接合部４１に隣接する部位のベースシート４２及びレッグ弾性化シート４３を、接合部４１を含めて、縦方向Ｙに沿って任意の長さ（例えば１０ｃｍ）のサンプルを切り出す。このサンプルは、矩形形状になるように調製する。次に、接合部４１に隣接する部位から、ベースシート４２及びレッグ弾性化シート４３を構成するシート部材を所定の幅（例えば５ｍｍ）で切り取り、それぞれの縦方向Ｙの寸法を測定する。このとき、レッグ弾性化シート４３は収縮された状態でベースシート４２の側縁に接合されているため、レッグ弾性化シート４３を構成するシート部材（すなわちカバーシート５１）の寸法の方が、ベースシート４２を構成するシート部材よりも大きくなり、レッグ弾性化シート４３の収縮前後の寸法比を、レッグ弾性化シート４３を構成するシート部材とベースシート４２を構成するシート部材との寸法比から算出することができる。
【００４４】
図７を参照すると、おむつ１０の着用時において、レッグ開口に着用者の脚を挿入するためにウエスト開口を拡げたときに、弾性サイドフラップ５３の弾性部５７Ｂは伸長されず、横方向Ｘの外側へ突出し、かつ、レッグ開口２３の下端においては弛緩した状態で下方へ垂れ下がった態様を呈する。したがって、おむつ１０の横方向Ｘにおける寸法Ｗ１に対するクロッチ域１６の横方向Ｘにおける寸法Ｗ２の比が約５５％以上であっても、おむつ１０の着用時において弾性部５７Ｂが着用者の身体側へ起立せずに横方向Ｘの外側へ延出するので、レッグ開口が小さくならず、脚先をレッグ開口に挿入するときにレッグ開口縁部に引っ掛かるおそれはない。
【００４５】
このように、レッグ弾性化シート４３を収縮した状態で取り付けて全体的に複数のギャザー６８が形成された態様でカバーシート５１に取り付けるためには、レッグ弾性化シート４３を収縮可能な状態で取り付ける場合のほかに、ギア延伸加工を施すことによってレッグ弾性化シート４３に複数のギャザー６８を形成させ、上記効果を奏するようにしてもよい。
【００４６】
＜第３実施形態＞
本実施形態に係るおむつ１０の基本的構成は第１実施形態と同様であるところ、以下の点において相違する。
【００４７】
図８を参照すると、本実施形態においては、吸液構造体１１のベースシート４２と対向する面に不透液性の繊維不織布、プラスチックフィルム又はそれらのラミネートシートから形成されたバリアシート６５が配置されている。バリアシート６５は、両側部が吸液構造体１１の肌対向面側に折り曲げられ、両側部は、近位縁部と、前後ウエスト域１４，１５において吸液構造体１１の肌対向面に固定された前後固定端部６５ａ，６５ｂと、前後固定端部６５ａ，６５ｂ間において縦軸Ｐの方向へ延びる、バリアシート６５の内側縁を内方へ折り返すことによって形成された遠位縁部６５ｃとを有する。遠位縁部６５ｃには、縦方向Ｙへ延びる１条のストリング状又はストランド状のカフ弾性体６６が収縮可能に配設されている。遠位縁部６５ｃは、おむつ１０の着用状態において、カフ弾性体６６の収縮作用によって吸液構造体１１の肌対向面から離間し、排泄物の横漏れを防止するための一対のバリアカフが形成される。
【００４８】
前記のとおり、本発明においては、弾性サイドフラップ５３の弾性部５７Ｂが横方向Ｘの外側へ平面状に延出することによって、クロッチ域１６の横方向Ｘにおける寸法Ｗ２が比較的に大きい場合であってもレッグ開口２３が小さくなることはないことを特徴とするところ、着用者の大腿部の大きさによって大腿部とレッグ開口縁部との間に隙間が生じ、尿や軟便等が身体をつたって該隙間から外部に漏れ出るおそれがある。本実施形態のように、クロッチ域１６にバリアカフ６７を設けることによって、不透液性のバリアカフと弾性サイドフラップ５３の非弾性部５７Ａとによる２重の障壁が形成されるので、排泄物の漏出を効果的に防止することができる。
【００４９】
＜クロッチパネルの製造工程＞
図１０（ａ）は、第２実施形態におけるクロッチパネルの製造装置の概略図、１０（ｂ）は、クロッチパネルの製造工程における連続複合体の態様を示す図である。図１０（ａ）を参照すると、例示的に示すクロッチパネル１３の製造装置７０は、機械方向ＭＤから順に、取付工程Ｓ１、折曲工程Ｓ２、第１切断工程Ｓ３、収縮組立工程Ｓ４及び第２切断工程Ｓ５を含む。
【００５０】
＜連続弾性体の取付工程Ｓ１＞
カバーシート５１の基材となる連続シート７１は、繰り出しロールから繰り出され、塗布部７２において第１面７３の交差方向ＣＤにおいて対向する両側部にホットメルト接着剤７４が塗布される。連続シート７１を回転ドラム７５に供給し、回転ドラム７５上においてレッグ弾性体５０の基材となる一対の連続弾性体７６を連続シート７１の第１面７３に供給する。連続弾性体７６には、塗布部７７においてその全周に機械方向ＭＤに連続的にホットメルト接着剤が塗布されており、該ホットメルト接着剤を介して連続シート７１の第１面７３に固定する。次に、連続シート７１と補強シート５２の基材となる連続フィルム７８とを一対のプレスロール７９間に供給して同時にプレスすることによって、前記連続フィルム７８を連続シート７１の第１面７３側の連続弾性体７６間に配置する。連続フィルム７８の連続シート７１の第１面７３と対向する面にはホットメルト接着剤を塗布しており、該接着剤を介して連続フィルム７８を連続シート７１に固定することによって連続複合体８０を形成する。
【００５１】
＜折曲工程Ｓ２＞
折曲案内板８１において連続複合体８０の交差方向ＣＤにおいて互いに対向する両側部８２，８３を内方に向かって折り曲げて、連続弾性体７６を介在させた状態でホットメルト接着剤７４を介してその内面どうしを互いに固定する。
【００５２】
＜第１切断工程Ｓ３＞
互いに対向配置されたカッター８４とアンビルローラー８５との間に連続複合体８０を供給し、その交差方向ＣＤにおける中央部８６を切断して連続複合体８０を２つに分割して分離部位８７を形成する。
【００５３】
＜収縮組立工程Ｓ４＞
連続複合体８０を互いに対向配置された一対の周速調整ロール８８間に供給する。次に、連続複合体８０の第１面７３及びその反対側の面に対し、一対の供給ロール９０を介してクロッチ内層４４とクロッチ外層４５との基材となる連続シート９１，９２を供給する。連続シート９１，９２の両側部にはホットメルト接着剤９３が塗布されており、該ホットメルト接着剤９３を介して分離部位８７を固定する。周速調整ロール８８の周速度Ｖ１は、供給ロール９０の周速度Ｖ２よりも高速であって、周速度Ｖ２に対する周速度Ｖ１の比率（Ｖ１／Ｖ２×１００）は、約１０５〜１５０％、好ましくは、約１１０〜１４０％である。すなわち、周速調整ロール８８は、供給ロール９０の周速度Ｖ２に対して、１．０５〜１．５倍、好ましくは、１．１〜１．４倍の周速度で回転する。したがって、周速調整ロール８８と供給ロール９０との間において分離部位８７は収縮し、供給ロール９０間には他の工程Ｓ１〜Ｓ３よりも単位時間（秒）当たりにおいて多量の連続複合体８０が供給され、分離部位８７が収縮した状態で連続シート９１，９２に取り付けられる。
【００５４】
＜第２切断工程Ｓ５＞
互いに対向配置されたカッター９４とアンビルロール９５との間に連続複合体８０を供給し、交差方向ＣＤに延びるカットラインに沿って連続複合体８０をカットすることによって、複数のクロッチパネル１３を形成することができる。各クロッチパネル１３は、仮想線で示すとおり、レッグ弾性化シート４３のレッグ弾性体５０が配置されている部分が伸長するところ、それをクロッチ域１３の縦方向Ｙにおける長さ寸法Ｌ２の大きさになるまで収縮させて弾性ウエストパネル１２に取り付ける。
【００５５】
レッグ弾性化シート４３を収縮した状態でベースシート４２に取り付ける方法としては、上記処理方法のほかに、例えば、周速調整ロールとしてギアロールを設けてレッグ弾性化シート４３を機械的に賦型して起伏形状を付し、かかる状態でベースシート４２に取り付ける等の方法を用いることもできる。
【００５６】
使い捨ておむつ１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」及び「第２」の用語は、同様の要素、位置等を単に区別するために用いている。
【００５７】
以上に記載した本発明に関する開示は、少なくとも下記事項に要約することができる。
縦方向及びそれに直交する横方向を有し、肌対向面及び非肌対向面と、前ウエスト域と、後ウエスト域と、前記前後ウエスト域間に位置するクロッチ域と、前記前ウエスト域を画定する前ウエストパネルと、前記後ウエスト域を画定する後ウエストパネルと、前記クロッチ域を画定するクロッチパネルと、前記クロッチパネルの前記肌対向面側に配置された、前記クロッチ域を中心として前記前後ウエスト域に延びる吸液構造体とを含むパンツ型の使い捨て着用物品において、
前記弾性ウエストパネルは、前記吸液構造体の前後端部の前記横方向の外側に位置する弾性域と、前記吸液構造体の存在域に位置する非弾性域とを有し、
前記クロッチパネルは、前記吸液構造体の両側縁の前記横方向の外側に位置して前記縦方向へ延びる弾性サイドフラップを有し、前記弾性サイドフラップは、前記前後ウエスト域において前記横方向の外向きに固定された前後端部と、前記吸液構造体の両側縁の前記横方向の外側に位置する非弾性部と、前記非弾性部の前記横方向の外側に位置する弾性部とを有し、前記前後ウエスト域の前記横方向の寸法に対する前記クロッチパネルの前記横方向の寸法の比が約５５〜７０％であることを特徴とする前記着用物品。
【００５８】
上記段落００５７に開示した本発明に係るパンツ型の使い捨て着用物品は、少なくとも下記の実施の形態を含むことができる。
（１）前記前後ウエストパネルは、それぞれ、前記前後ウエスト域の内端縁から前記クロッチ域側へ約０〜１０ｍｍ延出する。
（２）前記弾性サイドフラップの前記横方向の寸法に対する前記非弾性部の前記横方向の寸法の比が約２２〜５６％である。
（３）前記非弾性部の前記横方向の寸法は約１０〜２５ｍｍ、前記弾性部の前記横方向の寸法は約２５〜３５ｍｍである。
（４）前記クロッチパネルは、ベースシートと、前記縦方向に延び、かつ、弾性的に伸縮可能なレッグ弾性体を有する一対のレッグ弾性化シートとを有し、前記レッグ弾性化シートのうちの前記クロッチパネルとの接合部位から外側縁まで延びる部分によって前記弾性サイドフラップが形成されており、前記非弾性部は、前記接合部位から最内側に位置するレッグ弾性体までの領域によって形成され、前記弾性部は、レッグ弾性体が配置された領域によって形成されており、前記接合部位には前記横方向へ互いに並行して延びる多数のギャザーが形成された状態で前記クロッチパネルに接合される。
（５）前記クロッチ域においてバリアシートが配置されており、前記吸液構造体の両側縁から前記横方向の外側へ延出する前記バリアシートの両側部から形成された、記吸液構造体の肌対向面に固定された前後固定部と、前記前後固定部間において前記縦方向へ延びる遠位縁部と、前記遠位縁部に取り付けられたカフ弾性体とを有し、前記カフ弾性体が収縮することによって起立するバリアカフが形成される。
【符号の説明】
【００５９】
１０  パンツ型の使い捨て着用物品（使い捨ておむつ）
１１  吸液構造体
１１ｂ，１１ｃ  吸液構造体の両側縁
１２  （弾性）弾性ウエストパネル
１３  （弾性）クロッチパネル
１４  前ウエスト域
１５  後ウエスト域
１６  クロッチ域
４２  ベースシート
４３  レッグ弾性化シート
５０  レッグ弾性体
５０ａ  内側レッグ弾性体
５０ｂ  外側レッグ弾性体
５３  弾性サイドフラップ
５７Ａ  非弾性部
５７Ｂ  弾性部
Ｌ２  前ウエスト域の内端縁と後ウエスト域の内端縁との縦方向における離間寸法
Ｌ３  レッグ弾性化シートの最大伸長時の有効伸長寸法
Ｗ１  前後ウエスト域の横方向における寸法
Ｗ２  クロッチパネルの横方向における寸法
Ｗ３  弾性サイドフラップの横方向における寸法
Ｗ４  弾性サイドフラップの非弾性部の横方向における寸法
Ｗ５  弾性サイドフラップの弾性部の横方向における寸法
Ｘ  横方向
Ｙ  縦方向
【図１】
2014171691.tif 000004
【図２】
2014171691.tif 000005
【図３】
2014171691.tif 000006
【図４】
2014171691.tif 000007
【図５】
2014171691.tif 000008
【図６】
2014171691.tif 000009
【図７】
2014171691.tif 000010
【図８】
2014171691.tif 000011
【図９】
2014171691.tif 000012
【図１０】
2014171691.tif 000013